【手続補正書】
【提出日】平成17年8月16日(2005.8.16)
【手続補正１】
【補正対象書類名】明細書
【補正対象項目名】発明の名称
【補正方法】変更
【補正の内容】
【発明の名称】無線電話システム、無線電話システムのベースユニット、および無線電話システムのベースユニットのための方法
【手続補正２】
【補正対象書類名】明細書
【補正対象項目名】特許請求の範囲
【補正方法】変更
【補正の内容】
【特許請求の範囲】
【請求項１】  （ａ）各々がハンドセット送受信機を含む複数の無線ハンドセットと、
（ｂ）各ハンドセットと、前記ハンドセット送受信機を介してＲＦチャンネルを通じて通信を行なうベース送受信機と、外部コンピュータとインタフェースするインタフェースとを含むベースユニットと、からなり、
前記インタフェースは、プロセッサと、システム構成に従って前記プロセッサの制御の下でシステム中で電話呼の選択的結合と経路指定を行ない、コンピュータは、インタフェースを介してベースユニットとインタフェースすると、システム構成を変更するために前記プロセッサと通信する、無線電話システム。
【請求項２】  前記インタフェースは、さらにプロセッサから、結合器に送られる音声信号を受け取る第１の音声データバッファと、前記結合器から、プロセッサに送られる音声信号を受け取る第２の音声データバッファとを含む、請求項１記載の無線電話システム。
【請求項３】  前記インタフェースは、さらにプロセッサの制御の下で結合器を制御する制御ユニットを具えている、請求項１記載の無線電話システム。
【請求項４】  プロセッサの制御の下で行なわれる結合器による電話呼の選択的結合と経路指定は、外部電話回線からの呼を選択されたハンドセットまたはプロセッサに結合された音声バッファへ経路指定すること、インタフェースのＲＡＭに記憶された音声メールを検索するために選択されたハンドセットをプロセッサに接続すること、会議電話を設定するために多数のハンドセットおよび／または電話回線をマージングすること、の少なくとも１つを含む、請求項１記載の無線電話システム。
【請求項５】  前記インタフェースは、さらに外部コンピュータから受け取ったシステム構成データを記憶するＲＡＭを含む、請求項１記載の無線電話システム。
【請求項６】  前記外部コンピュータを介して設定された所定のシステム構成はさらに、どの電話回線が主回線であり、どれが転送回線であるか、ハンドセットの各々の拡張数、どのハンドセットが受付モードであるか、どのハンドセットが電話システムに追加または電話システムから削除されたされたものであるか、の少なくとも１つを指定する、請求項１記載の無線電話システム。
【請求項７】  ベース送受信機は、各ハンドセットに排他的オーディオ・パケット・タイムスロットを割り当てる時分割多元接続タイムスロット構成に従ってハンドセット送受信機を介して各ハンドセットと前記ＲＦチャンネルを通じて時分割多元接続リンクを設定する、請求項１記載の無線電話システム。
【請求項８】  コンピュータは、さらに１あるいはそれ以上の機能をシステムに与え、システムは、さらにインタフェースに結合された外部ポートを含み、外部ポートおよびインタフェースは設定された機能を支援するのに十分な帯域幅を有している、請求項１記載の無線電話システム。
【請求項９】  さらに、システム全体の規模を拡張するために、外部コンピュータの制御の下で、第２の無線電話システムとインタフェースする第２のインタフェースを含む、請求項１記載の無線電話システム。
【請求項１０】  ベースユニットと複数の無線ハンドセットとを具えた無線電話システムのベースユニットにおいて、ベースユニットはベース送受信機を含み、各ハンドセットはハンドセット送受信機を含み、
（ａ）ベース送受信機とハンドセット送受信機を介して各ハンドセットとＲＦチャンネルを通じて通信するステップと、
（ｂ）ベースユニットのインタフェースを介して外部コンピュータとインタフェースするステップと、
（ｃ）プロセッサによりインタフェースの電話呼結合器を制御するステップと、
（ｄ）システム構成に従って、プロセッサの制御の下で、結合器によりシステム中の電話呼を選択的に結合し、経路指定するステップと、
（ｅ）システム構成を変更するためにインタフェースを介してベースユニットとインタフェースするとき、コンピュータでプロセッサと通信するステップと、
を含む方法。
【請求項１１】  前記インタフェースは、さらにプロセッサから、結合器に送られる音声信号を受け取る第１の音声データバッファと、前記結合器から、プロセッサに送られる音声信号を受け取る第２の音声データバッファとを含む、請求項１０記載の方法。
【請求項１２】  前記インタフェースは、さらにプロセッサの制御の下で結合器を制御する制御ユニットを含む、請求項１０記載の方法。
【請求項１３】  プロセッサの制御の下で行なわれる結合器による電話呼の選択的結合と経路指定は、外部電話回線からの呼を選択されたハンドセットまたはプロセッサに結合された音声バッファへ経路指定すること、インタフェースのＲＡＭに記憶された音声メールを検索するために選択されたハンドセットをプロセッサに接続すること、会議電話を設定するために多数のハンドセットおよび／または電話回線をマージングすること、の少なくとも１つを含む、請求項１０記載の方法。
【請求項１４】  前記インタフェースは、さらに外部コンピュータから受け取ったシステム構成データを記憶するＲＡＭを含む、請求項１０記載の方法。
【請求項１５】  前記外部コンピュータを介して設定された所定のシステム構成は、さらにどの電話回線が主回線であり、どれが転送回線であるか、ハンドセットの各々の拡張数、どのハンドセットが受付モードであるか、どのハンドセットが電話システムに追加または電話システムから削除されたされたものであるか、の少なくとも１つを指定する、請求項１０記載の方法。
【請求項１６】  ステップ（ａ）は、各ハンドセットに排他的オーディオ・パケット・タイムスロットを割り当てる時分割多元接続（ＴＤＭＡ）タイムスロット構成に従ってハンドセット送受信機を介して各ハンドセットと前記ＲＦチャンネルを通じて時分割多元接続リンクを、ベース送受信機で設定する、請求項１０記載の方法。
【請求項１７】  ステップ（ｃ）は、さらにシステムに１あるいはそれ以上の機能を設定し、システムは、さらにインタフェースに結合された外部ポートを含み、外部ポートおよびインタフェースは、設定された機能を支援するのに十分な帯域幅を有している、請求項１０記載の方法。
【請求項１８】  さらに、システムの規模を拡張するために、コンピュータの制御の下で、第２のインタフェースを介して第２の無線電話システムとインタフェースするステップを含む、請求項１０記載の方法。
【請求項１９】  ベースユニットと複数の無線ハンドセットとを具えた無線電話システムのベースユニットであって、各ハンドセットはハンドセット送受信機を含み、
ベースユニットは、
（ａ）前記ハンドセット送受信機を介して各ハンドセットとＲＦチャンネルを通じて通信するベース送受信機と、
（ｂ）外部コンピュータとインタフェースするインタフェースと、
を含み、
前記インタフェースは、プロセッサと、システム構成に従って、前記プロセッサの制御の下でシステム中で電話呼の選択的結合と経路指定を行なう電話呼線形結合器を含み、コンピュータは、インタフェースを介してベースユニットとインタフェースすると、システム構成変更するために前記プロセッサと通信する、前記ベースユニット。
【請求項２０】  前記インタフェースは、さらにプロセッサから、結合器に送られる音声信号を受け取る第１の音声データバッファと、前記結合器から、プロセッサに送られる音声信号を受け取る第２の音声データバッファとを含む、請求項１９記載のベースユニット。
【請求項２１】  前記インタフェースは、さらにプロセッサの制御の下で結合器を制御するための制御ユニットを含む、請求項２０記載のベースユニット。
【請求項２２】  プロセッサの制御の下で行なわれる結合器による電話呼の選択的結合と経路指定は、外部電話回線からの呼を選択されたハンドセットまたはプロセッサに結合された音声バッファへ経路指定すること、インタフェースのＲＡＭに記憶された音声メールを検索するために選択されたハンドセットをプロセッサに接続すること、会議電話を形成するために多数のハンドセットおよび／または電話回線をマージングすること、の少なくとも１つを含む、請求項２０記載のベースユニット。
【請求項２３】  前記インタフェースは、さらに外部コンピュータから受け取ったシステム構成データを記憶するＲＡＭを含む、請求項２０記載のベースユニット。
【請求項２４】  前記外部コンピュータを介して与えられた所定のシステム構成は、さらにどの電話回線が主回線であり、どれが転送回線であるか、ハンドセットの各々の拡張数、どのハンドセットが受付モードであるか、どのハンドセットが電話システムに追加または電話システムから削除されたされたものであるか、の少なくとも１つを指定する、請求項２０記載のベースユニット。
【請求項２５】  システム全体の規模を拡大するために、コンピュータの制御の下で第２の無線電話システムとインタフェースする第２のインタフェースを含む、請求項２０記載のベースユニット。
【手続補正３】
【補正対象書類名】明細書
【補正対象項目名】０００６
【補正方法】変更
【補正の内容】
【０００６】
発明の概要
無線電話システムは、１あるいはそれ以上の無線ハンドセットおよびベースユニットを有している。各ハンドセットはハンドセット送受信機（トランシーバ：ｔｒａｎｓｃｅｉｖｅｒ）を有している。ベースユニットは各ハンドセットとそのハンドセット送受信機を介してＲＦチャンネルを通じて通信を行うためのベース送受信機を具えている。ベース送受信機は、また外部コンピュータとインタフェースするインタフェースを具えており、この場合、コンピュータは、インタフェースを介してベースユニットとインタフェースすると、無線電話システムの動作を制御することができる。
請求の範囲と実施例との対応関係を図面で使われている参照符号で示すと次の通りである。
（請求項１）  （ａ）各々（１２０１）がハンドセット送受信機（１２１、１２２）を含む複数の無線ハンドセット（１２０）と、
（ｂ）各ハンドセットと、前記ハンドセット送受信機を介してＲＦチャンネルを通じて通信を行なうベース送受信機（１１１、１１２）と、外部コンピュータ（１４０）とインタフェースするインタフェース（１３０）とを含むベースユニットと、からなり、
前記インタフェースは、プロセッサ（２５０）と、システム構成に従って前記プロセッサの制御の下でシステム中で電話呼の選択的結合と経路指定を行ない、コンピュータは、インタフェースを介してベースユニットとインタフェースすると、システム構成を変更するために前記プロセッサと通信する、無線電話システム。
（請求項２）  前記インタフェースは、さらにプロセッサ（２５０）から、結合器（２３０）に送られる音声信号を受け取る第１の音声データバッファ（２４１）と、前記結合器（２３０）から、プロセッサ（２５０）に送られる音声信号を受け取る第２の音声データバッファ（２４２）とを含む、請求項１記載の無線電話システム。
（請求項３）  前記インタフェースは、さらにプロセッサ（２５０）の制御の下で結合器（２３０）を制御する制御ユニット（２４３）を具えている、請求項１記載の無線電話システム。
（請求項４）  プロセッサ（２５０）の制御の下で行なわれる結合器（２３０）による電話呼の選択的結合と経路指定は、外部電話回線（１１５）からの呼を選択されたハンドセット（１２０）またはプロセッサ（２５０）に結合された音声バッファ（２４１、２４２）へ経路指定すること、インタフェースのＲＡＭ（２５１）に記憶された音声メールを検索するために選択されたハンドセット（１２０）をプロセッサ（２５０）に接続すること、会議電話を設定するために多数のハンドセット（１２０）および／または電話回線（１１５）をマージングすること、の少なくとも１つを含む、請求項１記載の無線電話システム。
（請求項５）  前記インタフェース（１３０）は、さらに外部コンピュータ（１４０）から受け取ったシステム構成データを記憶するＲＡＭ（２５１）を含む、請求項１記載の無線電話システム。
（請求項６）  前記外部コンピュータ（１４０）を介して設定された所定のシステム構成はさらに、どの電話回線（１１５）が主回線であり、どれが転送回線であるか、ハンドセット（１２０）の各々の拡張数、どのハンドセット（１２０）が受付モードであるか、どのハンドセット（１２０）が電話システムに追加または電話システムから削除されたされたものであるか、の少なくとも１つを指定する、請求項１記載の無線電話システム。
（請求項７）  ベース送受信機は、各ハンドセットに排他的オーディオ・パケット・タイムスロットを割り当てる時分割多元接続タイムスロット構成に従ってハンドセット送受信機を介して各ハンドセットと前記ＲＦチャンネルを通じて時分割多元接続リンクを設定する、請求項１記載の無線電話システム。
（請求項８）  コンピュータ（１４０）は、さらに１あるいはそれ以上の機能をシステム（１００）に与え、システムは、さらにインタフェース（１３０）に結合された外部ポート（２５４）を含み、外部ポートおよびインタフェースは設定された機能を支援するのに十分な帯域幅を有している、請求項１記載の無線電話システム。
（請求項９）  さらに、システム全体の規模を拡張するために、外部コンピュータ（１４０）の制御の下で、第２の無線電話システムとインタフェースする第２のインタフェースを含む、請求項１記載の無線電話システム。
（請求項１０）  ベースユニットと複数の無線ハンドセット（１２０）とを具えた無線電話システム（１００）のベースユニット（１１０）において、ベースユニットはベース送受信機（１１１、１１２）を含み、各ハンドセット（１２０１）はハンドセット送受信機（１２１、１２２）を含み、
（ａ）ベース送受信機とハンドセット送受信機を介して各ハンドセットとＲＦチャンネルを通じて通信するステップと、
（ｂ）ベースユニットのインタフェース（１３０）を介して外部コンピュータ（１４０）とインタフェースするステップと、
（ｃ）プロセッサ（２５０）によりインタフェースの電話呼結合器（２３０）を制御するステップと、
（ｄ）システム構成に従って、プロセッサ（２５０）の制御の下で、結合器（２３０）によりシステム中の電話呼を選択的に結合し、経路指定するステップと、
（ｅ）システム構成を変更するためにインタフェースを介してベースユニットとインタフェースするとき、コンピュータ（１４０）でプロセッサ（２５０）と通信するステップと、
を含む方法。
（請求項１１）  前記インタフェースは、さらにプロセッサ（２５０）から、結合器（２３０）に送られる音声信号を受け取る第１の音声データバッファ（２４１）と、前記結合器（２３０）から、プロセッサ（２５０）に送られる音声信号を受け取る第２の音声データバッファ（２４２）とを含む、請求項１０記載の方法。
（請求項１２）  前記インタフェースは、さらにプロセッサ（２５０）の制御の下で結合器（２３０）を制御する制御ユニット（２４３）を含む、請求項１０記載の方法。
（請求項１３）  プロセッサ（２５０）の制御の下で行なわれる結合器（２３０）による電話呼の選択的結合と経路指定は、外部電話回線（１１５）からの呼を選択されたハンドセット（１２０）またはプロセッサ（２５０）に結合された音声バッファ（２４１、２４２）へ経路指定すること、インタフェースのＲＡＭ（２５１）に記憶された音声メールを検索するために選択されたハンドセット（１２０）をプロセッサ（２５０）に接続すること、会議電話を設定するために多数のハンドセット（１２０）および／または電話回線（１１５）をマージングすること、の少なくとも１つを含む、請求項１０記載の方法。
（請求項１４）  前記インタフェース（１３０）は、さらに外部コンピュータ（１４０）から受け取ったシステム構成データを記憶するＲＡＭ（２５１）を含む、請求項１０記載の方法。
（請求項１５）  前記外部コンピュータ（１４０）を介して設定された所定のシステム構成は、さらにどの電話回線（１１５）が主回線であり、どれが転送回線であるか、ハンドセット（１２０）の各々の拡張数、どのハンドセット（１２０）が受付モードであるか、どのハンドセット（１２０）が電話システムに追加または電話システムから削除されたされたものであるか、の少なくとも１つを指定する、請求項１０記載の方法。
（請求項１６）  ステップ（ａ）は、各ハンドセットに排他的オーディオ・パケット・タイムスロットを割り当てる時分割多元接続（ＴＤＭＡ）タイムスロット構成に従ってハンドセット送受信機を介して各ハンドセットと前記ＲＦチャンネルを通じて時分割多元接続リンクを、ベース送受信機で設定する、請求項１０記載の方法。
（請求項１７）  ステップ（ｃ）は、さらにシステムに１あるいはそれ以上の機能を設定し、システムは、さらにインタフェース（１３０）に結合された外部ポートを含み、外部ポートおよびインタフェースは、設定された機能を支援するのに十分な帯域幅を有している、請求項１０記載の方法。
（請求項１８）  さらに、システム（１００）の規模を拡張するために、コンピュータ（１４０）の制御の下で、第２のインタフェースを介して第２の無線電話システムとインタフェースするステップを含む、請求項１０記載の方法。
（請求項１９）  ベースユニットと複数の無線ハンドセット（１２０）とを具えた無線電話システム（１００）のベースユニット（１１０）であって、各ハンドセット（１２０１）はハンドセット送受信機（１２１、１２２）を含み、
ベースユニット（１１０）は、
（ａ）前記ハンドセット送受信機を介して各ハンドセットとＲＦチャンネルを通じて通信するベース送受信機（１１１、１１２）と、
（ｂ）外部コンピュータ（１４０）とインタフェースするインタフェース（１３０）と、
を含み、
前記インタフェースは、プロセッサ（２５０）と、システム構成に従って、前記プロセッサの制御の下でシステム中で電話呼の選択的結合と経路指定を行なう電話呼線形結合器（２５０）を含み、コンピュータは、インタフェースを介してベースユニットとインタフェースすると、システム構成変更するために前記プロセッサと通信する、前記ベースユニット（１１０）。
（請求項２０）  前記インタフェースは、さらにプロセッサ（２５０）から、結合器（２３０）に送られる音声信号を受け取る第１の音声データバッファ（２４１）と、前記結合器（２３０）から、プロセッサ（２５０）に送られる音声信号を受け取る第２の音声データバッファ（２４２）とを含む、請求項１９記載のベースユニット。
（請求項２１）  前記インタフェースは、さらにプロセッサ（２５０）の制御の下で結合器（２３０）を制御するための制御ユニット（２４３）を含む、請求項２０記載のベースユニット。
（請求項２２）  プロセッサ（２５０）の制御の下で行なわれる結合器（２３０）による電話呼の選択的結合と経路指定は、外部電話回線（１１５）からの呼を選択されたハンドセット（１２０）またはプロセッサ（２５０）に結合された音声バッファ（２４１、２４２）へ経路指定すること、インタフェースのＲＡＭ（２５１）に記憶された音声メールを検索するために選択されたハンドセット（１２０）をプロセッサ（２５０）に接続すること、会議電話を形成するために多数のハンドセット（１２０）および／または電話回線（１１５）をマージングすること、の少なくとも１つを含む、請求項２０記載のベースユニット。
（請求項２３）  前記インタフェース（１３０）は、さらに外部コンピュータ（１４０）から受け取ったシステム構成データを記憶するＲＡＭ（２５１）を含む、請求項２０記載のベースユニット。
（請求項２４）  前記外部コンピュータ（１４０）を介して与えられた所定のシステム構成は、さらにどの電話回線（１１５）が主回線であり、どれが転送回線であるか、ハンドセット（１２０）の各々の拡張数、どのハンドセット（１２０）が受付モードであるか、どのハンドセット（１２０）が電話システムに追加または電話システムから削除されたされたものであるか、の少なくとも１つを指定する、請求項２０記載のベースユニット。
（請求項２５）  システム全体の規模を拡大するために、コンピュータ（１４０）の制御の下で第２の無線電話システムとインタフェースする第２のインタフェースを含む、請求項２０記載のベースユニット。